(57)【要約】行（１からｍ）及び列（１からｎ）で配置される画素（１２）を有する表示装置の反転方式を提供するよう、行が（１からｍ）が１度に１つ選択されて、列データ電圧が反転されるところの駆動方式が記載される。行が選択される順序は、第１極性行の第１のグループが第１の順序で選択され、第２極性行の第１のグループが第２の順序で選択され、第１極性行の第２のグループが前記第２の順序で選択され、第２極性行の第２のグループが前記第１の順序で選択されるような順序であって、前記第１の順序は、行数順を上るか、又は下るかのいずれか一方であり、前記第２の順序は、行数順を上るか、又は下るかのいずれか他方である。
2008506148.tif 000002
【特許請求の範囲】
【請求項１】
行及び列で配置された画素の配列を駆動する方法であって：
１度に１行の画素の前記行を選択するステップ；及び
行が選択される度に画素の前記列へ夫々のデータ電圧を印加するステップ；
を有し、
所定の列へ印加される前記データ電圧の極性は、位置的に連続する行が異なる極性のデータ電圧により駆動されるように、第１の極性と第２の極性との間で反転され、
１度に１行の画素の前記行を選択する前記ステップは：
（ｉ）前記第１の極性で駆動されて、位置的に連続する行である第１極性行の第１のグループの行を第１の順序で連続して選択するステップ；
（ｉｉ）前記第２の極性で駆動されて、位置的に連続する行である第２極性行の第１のグループの行を第２の順序で連続して選択するステップ；
（ｉｉｉ）前記第１の極性で駆動されて、位置的に連続する行である第１極性行の第２のグループの行を前記第２の順序で連続して選択するステップ；及び
（ｉｖ）前記第２の極性で駆動されて、位置的に連続する行である第２極性行の第２のグループの行を前記第１の順序で連続して選択するステップ；
を有し、
前記第１極性行の前記第１のグループの行及び前記第２極性行の前記第１のグループの行は、それらが共に、複数の位置的に連続する行であるように位置的に織り交ぜられ、
前記第１極性行の前記第２のグループの行及び前記第２極性行の前記第２のグループの行は、それらが共に、前記第１極性行の前記第１のグループ及び前記第２極性行の前記第１のグループの前記複数の位置的に連続する行の後に位置する複数の位置的に連続する行であるように位置的に織り交ぜられ、
前記第１の順序は、行数順を上るか、又は下るかのいずれか一方であり、前記第２の順序は、行数順を上るか、又は下るかのいずれか他方である、ことを特徴とする方法。
【請求項２】
前記第１極性行又は前記第２極性行の夫々のグループは、３又はそれ以上の行を有する、ことを特徴とする請求項１記載の方法。
【請求項３】
前記画素は、アクティブマトリクス液晶ディスプレイの画素である、ことを特徴とする請求項１又は２記載の方法。
【請求項４】
行及び列で配置された画素の配列を駆動するためのディスプレイドライバ装置であって：
１度に１行の画素の前記行を選択するための手段；及び
行が選択される度に画素の前記列へ夫々のデータ電圧を印加するための手段；
を有し、
所定の列へ印加される前記データ電圧の極性は、位置的に連続する行が異なる極性のデータ電圧により駆動されるように、第１の極性と第２の極性との間で反転され、
１度に１行の画素の前記行を選択するための前記手段は：
（ｉ）前記第１の極性で駆動されて、位置的に連続する行である第１極性行の第１のグループの行を第１の順序で連続して選択するステップ；
（ｉｉ）前記第２の極性で駆動されて、位置的に連続する行である第２極性行の第１のグループの行を第２の順序で連続して選択するステップ；
（ｉｉｉ）前記第１の極性で駆動されて、位置的に連続する行である第１極性行の第２のグループの行を前記第２の順序で連続して選択するステップ；及び
（ｉｖ）前記第２の極性で駆動されて、位置的に連続する行である第２極性行の第２のグループの行を前記第１の順序で連続して選択するステップ；
を実施することにより前記行の選択を行うよう構成され、
前記第１極性行の前記第１のグループの行及び前記第２極性行の前記第１のグループの行は、それらが共に、複数の位置的に連続する行であるように位置的に織り交ぜられ、
前記第１極性行の前記第２のグループの行及び前記第２極性行の前記第２のグループの行は、それらが共に、前記第１極性行の前記第１のグループ及び前記第２極性行の前記第１のグループの前記複数の位置的に連続する行の後に位置する複数の位置的に連続する行であるように位置的に織り交ぜられ、
前記第１の順序は、行数順を上るか、又は下るかのいずれか一方であり、前記第２の順序は、行数順を上るか、又は下るかのいずれか他方である、ことを特徴とするディスプレイドライバ装置。
【請求項５】
前記第１極性行又は前記第２極性行の夫々のグループは、３又はそれ以上の行を有する、ことを特徴とする請求項４記載のディスプレイドライバ装置。
【請求項６】
行及び列で配置された画素の配列と、請求項４又は５記載のディスプレイドライバ装置とを有する表示装置。
【請求項７】
行及び列で配置された画素の配列を駆動する方法であって：
１度に１行の画素の前記行を選択するステップ；及び
行が選択される度に画素の前記列へ夫々のデータ電圧を印加するステップ；
を有し、
所定の列へ印加される前記データ電圧の極性は、位置的に連続する行が異なる極性のデータ電圧により駆動されるように、第１の極性と第２の極性との間で反転され、
１度に１行の画素の前記行を選択する前記ステップは：
（ｉ）前記第１の極性で駆動されて、位置的に連続する行である３又はそれ以上の第１極性行の第１のグループの行を第１の順序で連続して選択するステップ；及び
（ｉｉ）前記第２の極性で駆動されて、位置的に連続する行である３又はそれ以上の第２極性行の第１のグループの行を第２の順序で連続して選択するステップ；
を有し、
前記第１極性行の前記第１のグループの行及び前記第２極性行の前記第１のグループの行は、それらが共に、複数の位置的に連続する行であるように位置的に織り交ぜられ、
前記第１の順序は、行数順を上るか、又は下るかのいずれか一方であり、前記第２の順序は、行数順を上るか、又は下るかのいずれか他方である、ことを特徴とする方法。
【請求項８】
前記画素は、アクティブマトリクス液晶ディスプレイの画素である、ことを特徴とする請求項７記載の方法。
【請求項９】
行及び列で配置された画素の配列を駆動するためのディスプレイドライバ装置であって：
１度に１行の画素の前記行を選択するための手段；及び
行が選択される度に画素の前記列へ夫々のデータ電圧を印加するための手段；
を有し、
所定の列へ印加される前記データ電圧の極性は、位置的に連続する行が異なる極性のデータ電圧により駆動されるように、第１の極性と第２の極性との間で反転され、
１度に１行の画素の前記行を選択するための前記手段は：
（ｉ）前記第１の極性で駆動されて、位置的に連続する行である３又はそれ以上の第１極性行の第１のグループの行を第１の順序で連続して選択するステップ；及び
（ｉｉ）前記第２の極性で駆動されて、位置的に連続する行である３又はそれ以上の第２極性行の第１のグループの行を第２の順序で連続して選択するステップ；
を実施することにより前記行の選択を行うよう構成され、
前記第１極性行の前記第１のグループの行及び前記第２極性行の前記第１のグループの行は、それらが共に、複数の位置的に連続する行であるように位置的に織り交ぜられ、
前記第１の順序は、行数順を上るか、又は下るかのいずれか一方であり、前記第２の順序は、行数順を上るか、又は下るかのいずれか他方である、ことを特徴とするディスプレイドライバ装置。
【請求項１０】
行及び列で配置された画素の配列と、請求項９記載のディスプレイドライバ装置とを有する表示装置。
【発明の詳細な説明】
【技術分野】
【０００１】
本発明は、行及び列で配置された画素を有する表示装置と、このような表示装置の駆動及びアドレス指定の方法とに関する。本発明は、特に、列駆動電圧が反転方式を提供するよう反転されるところの駆動方式に関する。
【背景技術】
【０００２】
液晶表示装置は、よく知られており、通常、行及び列の配列で配置された複数の画素を有する。
【０００３】
従来、画素は、以下の通りにアドレス指定又は駆動される。画素の行は、選択電圧の印加により、１度に１つを選択され、１の行で起動して、連続した順序で残りの行に亘って動作する。これは、時々、スイッチング電圧による行の切替えと呼ばれる。表示装置、例えばアクティブマトリクス液晶表示装置では、画素の切替えは薄膜トランジスタにより実施され、個々の行の選択又は切替えは、スイッチング電圧が、関連する行のトランジスタのゲートへ印加されることから、ゲーティング（ｇａｔｉｎｇ）と呼ばれる。
【０００４】
現在選択されている行の中の画素は、列の夫々へ印加される夫々のデータ電圧に基づいて夫々の表示設定を供給される。このようなデータ電圧は、データ信号、ビデオ信号、画像信号、駆動電圧、列電圧などを含め、当該技術分野で多数の名称により知られる。
【０００５】
１つずつの行の夫々の選択は、夫々の行の選択の間に必要とされる列の駆動と共に、表示される画像の１つのフレームの表示を提供する。次に、表示は、同じ方法で表示される更なるフレームによりリフレッシュされる。以降同様に続く。
【０００６】
更に、反転方式は、多数の液晶表示装置で実施される。既知の反転方式に従って、データ電圧の２つの異なる極性が用いられる（留意すべきは、これらは絶対的な感覚での正及び負を実際に必要とするわけではなく、特定の表示装置の、例えば液晶層といった、光変調層の両端に反対の極性の電圧を生成するよう供給される点である。）。反転方式は、連続的な単一極性動作の下で生じうる液晶物質の劣化を軽減するために用いられる。
【０００７】
如何なる所定の画素も、異なるフレーム（通常、交互フレーム）で画素へ印加される異なる極性を有する。即ち、画素の極性は、時間と共に反転される。
【０００８】
更に、幾つかの反転方式において、画素は、また、以下の通りに、他の画素に関する位置的基準で反転される。
【０００９】
画素の最初の１列を考えると、異なる画素が、異なる極性を伴って設けられる。通常、交互の画素は、列の下位へと異なった極性のデータ電圧を伴って設けられる。これは、行選択手順により時間で極性を変化させることにより行われる。全ての列が駆動電圧極性の同じ分布を与えられる（即ち、行の全ての画素が同じ極性を有する）場合には、反転方式は行反転方式として知られる。しかし、更に、夫々の行で、隣接する画素が異なる極性を伴って設けられる場合には、反転方式は画素反転方式、ドット反転方式又はチェッカーボード反転方式として知られる。
【００１０】
従って、画素反転方式又は行反転方式のいずれか一方で、所定の列へ印加されるデータ電圧は、新しい行が選択される度に反転される。しかし、このような方式の使用は、列へ印加されるデータ電圧が反転される度に電力が消費されるので、不都合なほどに増大した電力消費を含む。様々なアドレス指定方式は、行が従来の隣の行に基づいて選択される場合よりも極性反転の回数がしばしば少ない方式に基づいて、画素反転又は行反転により消費される電力量を低減させるために発明されてきた。
【００１１】
例えば、米国特許公開２００３／０１０７５４４号には、第１の極性により駆動されるべき行の中の第１の複数の連続した行が連続的に駆動され、その後、第２の極性により駆動されるべき行の第１の複数の連続した行が連続的に駆動され、その後、第１の極性で駆動されるべき行の中の第２の複数の連続した行が連続的に駆動され、以後同様に続くような順序で行が選択されるところの画素反転方式又は行反転方式が記載される。国際特許公開ＷＯ０３／０３０１３７号には、２つの連続した奇数番目の行が連続的に駆動され、その後、２つの連続した偶数番目の行が連続的に駆動され、その後、次の２つの連続した奇数番目の行が連続的に駆動され、その後、次の２つの連続した偶数番目の行が連続して駆動され、以後同様に続くような順序で行が選択され、更に、連続した奇数番目の行の夫々の第２の組及び連続した偶数番目の行の夫々の第２の組がその組の中で逆順で選択されるところの他の画素反転方式又は行反転方式が記載される。別な例では、国際特許公開ＷＯ０３／０３０１３７号には、２つの連続した奇数番目の行が連続的に駆動され、その後、２つの連続した偶数番目の行が逆順に選択され、その後、次の２つの連続した奇数番目の行が連続的に駆動され、その後、次の２つの連続した偶数番目の行が逆順に選択され、以後同様に続くような順序で行が選択されるところの更なる他の画素反転方式又は行反転方式が記載される。
【特許文献１】米国特許公開２００３／０１０７５４４号
【特許文献２】国際特許公開ＷＯ０３／０３０１３７号
【発明の開示】
【発明が解決しようとする課題】
【００１２】
しかし、画素反転又は行反転により消費される電力量を低減するために発明された前出のアドレス指定方式は、全て、駆動極性の時間変化が行われる場合に行での表示画素に導入される画像アーティファクトをある程度又はその他欠点として有する傾向がある。
【課題を解決するための手段】
【００１３】
第１の態様で、本発明は、行及び列で配置された画素の配列を駆動する方法を提供する。当該方法は、１度に１行の画素の前記行を選択するステップと、行が選択される度に画素の前記列へ夫々のデータ電圧を印加するステップとを有する。所定の列へ印加される前記データ電圧の極性は、位置的に連続する行が異なる極性のデータ電圧により駆動されるように、第１の極性と第２の極性との間で反転される。１度に１行の画素の前記行を選択するステップは、以下の順序で実行される以下のステップ、即ち、
（ｉ）前記第１の極性で駆動されて、位置的に連続する行である第１極性行の第１のグループの行を第１の順序で連続して選択するステップと、（ｉｉ）前記第２の極性で駆動されて、位置的に連続する行である第２極性行の第１のグループの行を第２の順序で連続して選択するステップと、（ｉｉｉ）前記第１の極性で駆動されて、位置的に連続する行である第１極性行の第２のグループの行を前記第２の順序で連続して選択するステップと、（ｉｖ）前記第２の極性で駆動されて、位置的に連続する行である第２極性行の第２のグループの行を前記第１の順序で連続して選択するステップとを有し、前記第１極性行の前記第１のグループの行及び前記第２極性行の前記第１のグループの行は、それらが共に、複数の位置的に連続する行であるように位置的に織り交ぜられ、前記第１極性行の前記第２のグループの行及び前記第２極性行の前記第２のグループの行は、それらが共に、前記第１極性行の前記第１のグループ及び前記第２極性行の前記第１のグループの前記複数の位置的に連続する行の後に位置する複数の位置的に連続する行であるように位置的に織り交ぜられる。前記第１の順序は、行数順を上るか、又は下るかのいずれか一方であり、前記第２の順序は、行数順を上るか、又は下るかのいずれか他方である。
【００１４】
前記第１極性行又は前記第２極性行の夫々のグループは、３又はそれ以上の行を有しても良い。
【００１５】
前記画素は、アクティブマトリクス液晶ディスプレイの画素であっても良い。
【００１６】
更なる態様において、本発明は、行及び列で配置された画素の配列を駆動するためのディスプレイドライバ装置を提供する。当該ディスプレイドライバ装置は、１度に１行の画素の前記行を選択するための手段と、行が選択される度に画素の前記列へ夫々のデータ電圧を印加するための手段とを有する。所定の列へ印加される前記データ電圧の極性は、位置的に連続する行が異なる極性のデータ電圧により駆動されるように、第１の極性と第２の極性との間で反転される。１度に１行の画素の前記行を選択するための前記手段は、以下の順序で以下のステップ、即ち、
（ｉ）前記第１の極性で駆動されて、位置的に連続する行である第１極性行の第１のグループの行を第１の順序で連続して選択するステップと、（ｉｉ）前記第２の極性で駆動されて、位置的に連続する行である第２極性行の第１のグループの行を第２の順序で連続して選択するステップと、（ｉｉｉ）前記第１の極性で駆動されて、位置的に連続する行である第１極性行の第２のグループの行を前記第２の順序で連続して選択するステップと、（ｉｖ）前記第２の極性で駆動されて、位置的に連続する行である第２極性行の第２のグループの行を前記第１の順序で連続して選択するステップとを実施することにより前記行の選択を行うよう構成され、前記第１極性行の前記第１のグループの行及び前記第２極性行の前記第１のグループの行は、それらが共に、複数の位置的に連続する行であるように位置的に織り交ぜられ、前記第１極性行の前記第２のグループの行及び前記第２極性行の前記第２のグループの行は、それらが共に、前記第１極性行の前記第１のグループ及び前記第２極性行の前記第１のグループの前記複数の位置的に連続する行の後に位置する複数の位置的に連続する行であるように位置的に織り交ぜられる。前記第１の順序は、行数順を上るか、又は下るかのいずれか一方であり、前記第２の順序は、行数順を上るか、又は下るかのいずれか他方である。
【００１７】
前記第１極性行又は前記第２極性行の夫々のグループは、３又はそれ以上の行を有しても良い。
【００１８】
更なる態様において、本発明は、行及び列で配置された画素の配列を駆動する方法を提供する。当該方法は、１度に１行の画素の前記行を選択するステップと、行が選択される度に画素の前記列へ夫々のデータ電圧を印加するステップとを有する。所定の列へ印加される前記データ電圧の極性は、位置的に連続する行が異なる極性のデータ電圧により駆動されるように、第１の極性と第２の極性との間で反転される。１度に１行の画素の前記行を選択するステップは、以下の順序で実行される以下のステップ、即ち、
（ｉ）前記第１の極性で駆動されて、位置的に連続する行である３又はそれ以上の第１極性行の第１のグループの行を第１の順序で連続して選択するステップと、（ｉｉ）前記第２の極性で駆動されて、位置的に連続する行である３又はそれ以上の第２極性行の第１のグループの行を第２の順序で連続して選択するステップとを有し、前記第１極性行の前記第１のグループの行及び前記第２極性行の前記第１のグループの行は、それらが共に、複数の位置的に連続する行であるように位置的に織り交ぜられる。前記第１の順序は、行数順を上るか、又は下るかのいずれか一方であり、前記第２の順序は、行数順を上るか、又は下るかのいずれか他方である。
【００１９】
前記画素は、アクティブマトリクス液晶ディスプレイの画素であっても良い。
【００２０】
更なる態様において、本発明は、行及び列で配置された画素の配列を駆動するためのディスプレイドライバ装置を提供する。当該ディスプレイドライバ装置は、１度に１行の画素の前記行を選択するための手段と、行が選択される度に画素の前記列へ夫々のデータ電圧を印加するための手段とを有する。所定の列へ印加される前記データ電圧の極性は、位置的に連続する行が異なる極性のデータ電圧により駆動されるように、第１の極性と第２の極性との間で反転される。１度に１行の画素の前記行を選択するための前記手段は、以下の順序で以下のステップ、即ち、
（ｉ）前記第１の極性で駆動されて、位置的に連続する行である３又はそれ以上の第１極性行の第１のグループの行を第１の順序で連続して選択するステップと、（ｉｉ）前記第２の極性で駆動されて、位置的に連続する行である３又はそれ以上の第２極性行の第１のグループの行を第２の順序で連続して選択するステップとを実施することにより前記行の選択を行うよう構成され、前記第１極性行の前記第１のグループの行及び前記第２極性行の前記第１のグループの行は、それらが共に、複数の位置的に連続する行であるように位置的に織り交ぜられる。前記第１の順序は、行数順を上るか、又は下るかのいずれか一方であり、前記第２の順序は、行数順を上るか、又は下るかのいずれか他方である。
【００２１】
更なる態様において、本発明は、行及び列で配置された画素の配列と、前出のディスプレイドライバ装置とを有する表示装置を提供する。
【００２２】
更なる態様において、本発明は、行及び列で配置された画素を有する表示装置の反転方式を提供するよう、行が１度に１つを選択されて、列データ電圧が反転されるところの駆動方式を提供する。行が選択される順序は、第１極性行の第１のグループが第１の順序で選択され、第２の極性行の第１のグループが第２の順序で選択され、第１極性行の第２のグループが前記第２の順序で選択され、第２極性行の第２のグループが前記第１の順序で選択されるような順序であり、前記第１の順序は、行数順を上るか、又は下るかのいずれか一方であり、前記第２の順序は、行数順を上るか、又は下るかのいずれか他方である。
【発明の効果】
【００２３】
本発明者は、寄生容量効果に起因して、画素が、連続的なラインによりなだらかに変化する傾向を有しうる実効電圧（Ｖｒｍｓ）に応答するが、位置的に不連続な順序で時間的に行を選択することによって、Ｖｒｍｓの変化は位置的に連続する行に関してもはやなだらかに生じないので、前出の画像アーティファクトの発生又は画像アーティファクトへの寄与が生ずることを突き止めた。本発明者は、更に、人間の目が、２つの位置的に連続する行の間の輝度変化にそれ程敏感ではないことを突き止め、２つの位置的に連続する行に亘る平均輝度が（所定の均一なデータレベルに関して）より多くの位置的に連続する行に亘って十分一定なままであるところの駆動方式は、電力節約駆動方式により導入される画像アーティファクトのレベルを低減する傾向を有しうることに気付いた。このような方式は、前出の本発明の様々な態様で与えられる。
【発明を実施するための最良の形態】
【００２４】
以下、本発明の実施例について、一例として、添付の図面を参照して説明する。
【００２５】
図１は、本発明の実施例が実施されるところのアクティブマトリクス液晶表示装置の系統図である。表示装置は、ビデオ画像を表示するのに適した表示装置であって、画素の行及び列の配列を有するアクティブマトリクスアドレス指定液晶表示パネル１０を有する。画素の行及び列の配列は、行毎にｎ個の水平に配置された画素（１〜ｎ）を有するｍの行（１〜ｍ）から構成される。簡単のために、数個の画素しか示されていない。
【００２６】
夫々の画素１２は、薄膜トランジスタＴＦＴ１１の形で夫々のスイッチングデバイスに結合されている。同じ行で画素に結合された全てのＴＦＴ１１のゲート端子は、共通の行導体１４へ接続されている。行導体１４へは、動作の際に、選択（ゲーティング）信号が供給される。同様に、同じ列で全ての画素に結合されるソース端子は、共通の列導体１６へ接続されている。列導体１６へは、データ（映像）信号が印加される。ＴＦＴのドレイン端子は、夫々、画素の一部を形成して、画素を示す夫々の透明な画素電極２０へ接続されている。導体１４及び１６、ＴＦＴ１１並びに電極２０は、１つの透明なプレート上に載せられ、一方、第２の間隔をあけられた透明なプレートには、全ての画素に共通する電極（以後、共通電極と呼ばれる。）が載せられる。液晶はプレートの間に配置される。
【００２７】
表示パネルは、従来の方法で動作する。片側に配置された光源からの光は、パネルに入射して、画素１２の伝達特性に従って変調される。当該装置は、ＴＦＴの行をオンとするように選択（ゲーティング）信号により行導体１４を走査し、次に、完全な表示フレーム（ピクチャ）を構築するように、必要に応じて選択信号と同期して、ピクチャ表示素子の夫々の行の列導体へデータ（ビデオ）信号を印加することにより、１度に１つの行を駆動される。走査の間に行が選択される順序については、以下で説明する。アドレス指定時に１つの行を用いることで、選択された行の全てのＴＦＴ１１は、ＴＶライン時間に対応する選択信号の存続期間により決定される期間の間はオンに切り替えられる。ＴＶライン時間の間に、ビデオ情報信号は、列導体１６から画素１２へ伝送される。選択信号の終了時に、行のＴＦＴ１１は、残りのフレーム期間の間はオフとされ、それによって、画素を導体１６から分離して、印加される電荷が、画素が次のフレーム期間にアドレス指定される次の時間まで画素に蓄えられることを確実にする。
【００２８】
行導体１４は、タイミング及び制御回路２１からの規則的なタイミングパルスにより制御されるデジタルシフトレジスタを有する行ドライバ回路２０によって、選択信号をそれらの選択順序で供給される。選択信号の間の間隔で、行導体１４は、駆動回路２０によって実質的に一定な基準電位を供給される。ビデオ情報信号は、列ドライバ回路２２から列導体１６へ供給される。列ドライバ回路２２は、ここでは、基本形状で示され、１又はそれ以上のシフトレジスタ／サンプル・アンド・ホールド回路を有する。回路２２は、パネル１０のアドレス指定時に行に適したシリアル−パラレル変換を供給するよう、行走査と同期して、ビデオ処理回路２４からのビデオ信号及び回路２１からのタイミングパルスを供給される。
【００２９】
液晶表示装置の他の細部は、行がそれらの列の極性に関連して選択されるところの順序に関して以下で別なふうに述べられる場合を除いて、例によって、如何なる従来のアクティブマトリクス液晶表示装置であっても良く、参照することによりその内容を本願に援用される米国特許５，１３０，８２９号に開示される液晶表示装置と目下の特定の実施例において同じであって、その液晶表示装置と同じく動作する。
【００３０】
列へ印加されるデータ電圧が２つの極性の間で変化する方法について、以下、図２ａ及び２ｂを参照して説明する。図２ａ及び２ｂは、夫々、前出の画素１２を（ノンスケールで）概略的に示す。画素１２は、（とりわけ、）画素電極２０と、（図２ａ及び２ｂで参照番号３２によって示される）前出の共通電極（の対応する部分）と、（図２ａ及び２ｂで参照番号３６により示される）それらの電極の間の液晶層（の対応する部分）とから形成される。
【００３１】
共通電極３２は、図２ａ及び２ｂの両方で示されるように、本例では８Ｖであるところの一定の基準電圧で保持される。図２ａは、正の極性のデータ電圧が画素へ印加される場合を示す。本例では、１１Ｖの電圧が、示されるように、画素電極２０へ印加されており、（共通電極３２を基準とする）＋３Ｖの液晶層の両端の電位差をもたらす。本例では、この電位差は正の極性である。グレースケール表示では、この電位差の大きさは、光変調層、即ち液晶層３６の電気光学効果の電圧振幅依存性に起因して、関連したグレースケールをもたらす。しかし、表示が２元（ｂｉｎａｒｙ）であった場合には、電位差の大きさは、単に、完全にオンした状態に対応しうる。
【００３２】
図２ｂは、負の極性のデータ電圧が画素へ印加される場合を示す。更に具体的には、示される状況は、図２ａの例で印加されたのと同じ大きさの電位差（３Ｖ）が必要とされる場合である。従って、この場合には、５Ｖの電圧が画素電極２０へ印加されて、液晶層の両端には（共通電極３２を基準として）必要とされる−３Ｖの電位差が生ずる。
【００３３】
図２ａ及び２ｂの両方で、画素電極２０へ印加される電圧は、絶対的な感覚で、正であることが知られる。しかし、５Ｖ信号により、液晶層３６の両端には負の極性が生じ、一方、１１Ｖ信号により、液晶層３６の両端には正の極性が生ずる。従って、本明細書では、データ電圧に関する技術用語「正の極性」及び「負の極性」は、例えば共通電極３２が０Ｖに保たれる他の例と共に、図２ａ及び２ｂを参照して説明されたような例も含むと理解されるべきである。正及び負の極性で印加されるデータ電圧は、光変調層の両端で結果として生ずる電位降下という意味においてはもちろん、絶対的な感覚において実際に正及び負である。
【００３４】
また、図２ａ及び２ｂで示される例では、共通電極３２が直流電位（ここでは８Ｖ）に保たれるが、（共通電極駆動方式として知られる）他の駆動方式では、共通電極は、反転方形波形により駆動され、本発明は、同様にこのような方式により実施されても良い。
【００３５】
本実施例は、行反転方式又は画素反転方式のいずれか一方へ適用されうる。最初に、これらにより示されるものについて更に詳細に説明することが好都合である。図３は、前出の装置に適用された行反転方式を示す。図３は、１つのフレームに関して、（参照番号４２により全般に示される）夫々の行番号へ適用されるように、前出の装置の列（明瞭さのために、最初の４列しか示されない。）の夫々に対する（参照番号４４によって全般に示される）データ電圧の極性（“１”は正の極性を示し、“−１”は負の極性を示す。）を示す。明瞭さのために、最初の１６の行しか、即ち行１〜１６しか示されない。
【００３６】
列１に関して、行１は正であり、その後、極性は次の行で変更され、即ち、行２は負であり、行３は正であり、以降同様に続く。全ての他の列は、例えば、示される列２、３及び４は、列１と同じ行では同じ極性を有する。従って、明らかなように、如何なる所定の行も、全ての列の両端で同じ極性を有する。即ち、反転が行毎に起こる。従って、技術用語「行反転」は、このような配置を表すために用いられる。
【００３７】
他方で、図４は、前出の装置に適用される画素反転方式を示す。図４は、また、１つのフレームに関して、（参照番号４２により全般に示される）夫々の行番号へ適用されるように、前出の装置の列（明瞭さのために、最初の４列しか示されない。）の夫々に対する（参照番号４４によって全般に示される）データ電圧の極性（先と同じく、“１”は正の極性を示し、“−１”は負の極性を示す。）を示す。明瞭さのために、最初の１６の行しか、即ち行１〜１６しか示されない。
【００３８】
列１に関して、行１は正であり、その後、極性は次の行で変更され、即ち、行２は負であり、行３は正であり、以降同様に続く。ここまでは図３と同じである。しかし、図４で示されるように、列２に関して、正及び負の極性が列１と比較して逆にされている。このパターンは、交互の列で繰り返される。即ち、列３は列１と同じであり、列４は列２と同じであり、以降同様に続く。従って、明らかなように、いずれの２つの隣り合う画素も反対の極性を有する。従って、技術用語「画素反転」は、このような配置を表すために用いられる。
【００３９】
あるカラー液晶ディスプレイへ適用される他の形式の画素反転では、３つの隣接する列（赤、青及び緑の各色で１つ。）は、所定の行で第１の極性を有し、次の３つの隣接する列は他の極性を有し、以降同様に続く。
【００４０】
前出の行反転方式又は画素反転方式の夫々に係る状況は、１つのフレームで適用される極性に関して説明されてきた。次のフレームでは、正の極性及び負の極性は逆にされる。
【００４１】
本実施例は、前出の行反転方式又は画素反転方式のいずれにも同様に適用されうる。明瞭さのために、本実施例は、（例えば、図３及び４の）列１に関してのみ説明される。
【００４２】
図５は、第１の実施例に従う駆動方式を示す。図５は、１つのフレームに関して、（参照番号４２により示される）夫々の行番号へ適用されるように、前出の装置の単一の列に対する（参照番号４４によって示される）データ電圧の極性（“１”は正の極性を示し、“−１”は負の極性を示す。）を示す。明瞭さのために、最初の２４の行しか、即ち行１〜２４しか示されない。図５は、更に、時間矢印４６によって示されるように、行が選択された時間的順序を示す。従って、選択されるべき第１の行は、その極性が一番左端の列に示される行、即ち、正の極性により駆動される行２であり、次に、行４が選択されて、正の極性により駆動され、以降同様に続く。従って、図５に示される２４の行の選択順は、以下の通りである（＋ｖｅは正の極性を示し、−ｖｅは負の極性を示す。）：
行２（＋ｖｅ）、行４（＋ｖｅ）、行６（＋ｖｅ）、行８（＋ｖｅ）、行１０（＋ｖｅ）、行１２（＋ｖｅ）、行１１（−ｖｅ）、行９（−ｖｅ）、行７（−ｖｅ）、行５（−ｖｅ）、行３（−ｖｅ）、行１（−ｖｅ）、行２４（＋ｖｅ）、行２２（＋ｖｅ）、行２０（＋ｖｅ）、行１８（＋ｖｅ）、行１６（＋ｖｅ）、行１４（＋ｖｅ）、行１３（−ｖｅ）、行１５（−ｖｅ）、行１７（−ｖｅ）、行１９（−ｖｅ）、行２１（−ｖｅ）、行２３（−ｖｅ）。
【００４３】
行の選択順序は、正の極性により駆動されるべき最初の６行（即ち、行２、４、６、８、１０、１２）を有する第１のグループが行番号の昇順で（即ち、２、４、６、８、１０、１２の順序で）選択され、続いて、負の極性により駆動されるべき最初の６行（即ち、行１、３、５、７、９、１１）を有する第２のグループが行番号の降順で、即ち、逆順序で（即ち、１１、９、７、５、３、１の順序で）選択され、続いて、正の極性により駆動されるべき次の６行（即ち、行１４、１６、１８、２０、２２、２４）を有する第３のグループが行番号の降順で、即ち、逆順序で（即ち、２４、２２、２０、１８、１６、１４の順序で）選択され、続いて、負の極性により駆動されるべき次の６行（即ち、行１３、１５、１７、１９、２１、２３）を有する第４のグループが行番号の昇順で（即ち、１３、１５、１７、１９、２１、２３の順序で）選択されるように、６行を含む行のグループに基づく。当該装置の残りの行、即ち、行２５以降（図示せず。）は、以下の周期を繰り返すことにより選択される：
正の極性により駆動されるべき次の６行を有する次の正の極性のグループが行番号の昇順で選択され、続いて、負の極性により駆動されるべき次の６行を有する次の負の極性のグループが行番号の降順で、即ち、逆順序で選択され、続いて、正の極性により駆動されるべき次の６行を有する次の正の極性のグループが行番号の降順で、即ち、逆順序で選択され、続いて、負の極性により駆動されるべき次の６行を有する次の負の極性のグループが行番号の昇順で選択され、以降同様に続く。
【００４４】
図１に示される配置では、行ドライバ回路２０、タイミング及び制御回路２１、列ドライバ回路２２及びビデオ処理ユニット２４は、ともに、ディスプレイドライバ装置を形成すると考えられても良い。このようなディスプレイドライバ装置は、本実施例の行選択順序を実施するよう如何なる適切な方法で構成されても良い。例えば、行ドライバ回路２０は、先に記載された順序で行を選択するようプログラミングされても良く、列ドライバ回路は、記載されるように列極性を切り替えるよう構成されても良く、ビデオ処理回路は、行番号順に選択されないそれらの行に係るビデオデータを記憶するためのバッファ又はメモリ（図示せず。）を設けるよう構成されても良い。即ち、バッファは、行２、４、６、８、１０及び１２が選択される間に、行１、３、５、７、９及び１１のビデオデータを記憶し、次に、行１、３、５、７、９及び１１が後で行２、４、６、８、１０及び１２の後に選択される場合に、記憶したビデオデータを使用する。
【００４５】
図６は、行反転の場合に、図５に示される行順序及び極性を単一フレームに関して提供するよう、本実施例におけるディスプレイドライバ装置により実行される処理ステップを示すフローチャートである。
【００４６】
ステップｓ２で、行２が選択され、正の極性のデータ電圧が夫々の列へ印加される。行２は、選択電圧を行２へ印加する行ドライバ回路２０により選択される。正の極性のデータ電圧の印加は、以下の通りに実施される。ビデオ信号（即ち、夫々の列へ印加されるべきデータ電圧の大きさを示す。）は、ビデオ処理回路２４へ供給され、タイミング及び制御回路２１のタイミング制御下で、適宜夫々の列へビデオ信号を接続する列ドライバ回路２２に基づいて夫々の列に対して正確なタイミングで有効にサンプリングされる。極性が正又は負であるかどうかは、タイミング及び制御回路２１の制御下で列ドライバ回路２２及びビデオ処理回路２４の組み合わせにより制御及び実施をなされる。
【００４７】
列ドライバ回路２２が行及びフィールドの反転のみを実施している場合には、列ドライバ回路２２は、ビデオ処理回路２４からビデオ信号を供給されうる。ビデオ信号は、全てのフィールド（フレーム）、又は全てのフィールド（フレーム）及び全ての行のいずれかの極性を反転される。この場合に、ビデオ処理回路２４は、２つの駆動電圧極性の間の切替えを行う。
【００４８】
列ドライバ回路２２が画素反転を実施している場合には、ビデオ処理回路２４は、２組のビデオ信号を列ドライバ回路２２に供給する。如何なる時点でも、これらの組の一方は正であり、他方は負である。これらの２組の入力の一方又は他方からの信号は、必要とされる駆動極性を供給するために、表示装置で列を交番するよう指示される。ビデオ処理回路２４は、行毎に、夫々のフィールドの終わりにこれら２組の信号の極性を取り替えうるが、この機能は、また、列ドライバ回路２２に一体化されても良い。
【００４９】
ステップｓ４で、次の行、即ち、印加された正の極性を有するべき６の行の第１のグループの中の次の連続した行であるところの行４が選択され、正の極性のデータ電圧が列の夫々へ印加される。
【００５０】
この工程は、ステップｓ６で行１２が選択されて、正の極性のデータ電圧が列の夫々へ印加されるまで、印加された正の極性を有すべき６の行の第１のグループの中の残りの行に関して繰り返される（図６でステップｓ４とｓ６との間の破線によって示される。）。
【００５１】
本実施例で、「グループ」を形成する行の数は６である。従って、選択されるべき次の６行は、負の極性の行（即ち、行１、３、５、７、９及び１１）の第１のグループである。更に、先に述べられたように、このグループは、行番号の降順で、即ち、逆順序（即ち、１１、９、７、５、３、１）で選択される。
【００５２】
従って、ステップｓ８で、行１１が選択され、負の極性のデータ電圧が夫々の列へ印加される。次に、ステップｓ１０で、行９が選択され、負の極性のデータ電圧が夫々の列へ印加される。この工程は、ステップｓ１２で行１が選択されて、負の極性のデータ電圧が列の夫々へ印加されるまで、印加された負の極性を有すべき６の行の第１のグループの中の残りの行に関して繰り返される（図６でステップｓ１０とｓ１２との間の破線によって示される。）。
【００５３】
選択されるべき次の６行は、正の極性の行（即ち、行１４、１６、１８、２０、２２及び２４）の次のグループ、即ち、第２のグループである。更に、先に述べられたように、このグループは、行番号の降順で、即ち、逆順序（即ち、２４、２２、２０、１８、１６、１４）で選択される。
【００５４】
従って、ステップｓ１４で、行２４が選択され、正の極性のデータ電圧が夫々の列へ印加される。次に、ステップｓ１６で、行２２が選択され、正の極性のデータ電圧が夫々の列へ印加される。この工程は、ステップｓ１８で行１４が選択されて、正の極性のデータ電圧が列の夫々へ印加されるまで、印加された正の極性を有すべき６の行の第２のグループの中の残りの行に関して繰り返される（図６でステップｓ１６とｓ１８との間の破線によって示される。）。
【００５５】
選択されるべき次の６行は、負の極性の行（即ち、行１３、１５、１７、１９、２１及び２３）の次のグループ、即ち、第２のグループである。先に述べられたように、このグループは、行番号の昇順（即ち、１３、１５、１７、１９、２１、２３）で選択される。
【００５６】
従って、ステップｓ２０で、行１３が選択され、負の極性のデータ電圧が夫々の列へ印加される。次に、ステップｓ２２で、行１５が選択され、負の極性のデータ電圧が夫々の列へ印加される。この工程は、ステップｓ２４で行２３が選択されて、負の極性のデータ電圧が列の夫々へ印加されるまで、印加された負の極性を有すべき６の行の第２のグループの中の残りの行に関して繰り返される（図６でステップｓ２２とｓ２４との間の破線によって示される。）。
【００５７】
先に述べられたように、残りの行が選択され、所定の極性の６の連続した行のグループに行を割り当てて、以下の周期に従ってそれらを選択（し、適切な極性のデータ電圧を列へ印加）することにより、行１〜２４に関して説明された周期の繰り返しで列へ印加された正又は負の極性を有する：
正の極性の行の次のグループは、行番号の昇順で選択され（最初にこれらはステップｓ２６として図６で示され、ステップｓ２６では、行２６が選択され、正の極性のデータ電圧が夫々の列へ印加される。）、次に、負の極性の行の次のグループが行番号の降順で選択され、次に、正の極性の行の次のグループが行番号の降順で選択され、次に、負の極性の行の次のグループが行番号の昇順で選択され、以降、ステップｓ２８で、選択されるべき最後の行、即ち、（ｍ−１）番目の行（本実施例では、表示装置が例えば６００行×８００列を有する場合に、行５９９）が選択されて、負の極性のデータ電圧が夫々の列へ印加される（ｍ番目の行、ここでは行６００が、正の極性の行の最後のグループの一部として予め選択されている。）まで続く。
【００５８】
これでこのフレームのアドレス指定を完了する。次のフレームのアドレス指定の間に、正及び負の極性は逆にされるが、行は前出の順序で選択される。
【００５９】
前出の工程では、行が選択されて、次に、電圧が列へ印加される。代替的に、この順序は逆にされても良い。どちらの順序が使用されるにしても、行が非選択状態にされた後まで列電圧が保持されることが通常である。
【００６０】
前出の駆動方式を実施することにより得られる有利な効果について、以下、図７を参照して概念的に説明する。図７は、前出の方式を用いて駆動される表示装置の位置上の行番号（横座標）に関して、夫々の行の輝度誤差（縦座標）の予測モデリングから導出される予測である。予測モデルで使用される表示装置細部は、完全性のために、図１及び２に関して先に述べられた特定の表示装置の細部と必ずしも同じではないことが知られる。しかし、予測結果は、やはり、含まれる概念の説明を補助する働きをする。
【００６１】
図７から明らかであるように、２つの位置的に隣接する行の間の輝度変化は、例えば、行１２を行１３と比べると、比較的高いことがある。しかし、本発明者は、このことが適応させられうることに気付いた。目は、隣り合う行に亘って相殺する輝度変動に特に敏感ではないためである。本発明者は、代わりに、いずれかの２つの位置的に隣接する行に関して平均輝度誤差を考慮することによって、この駆動方式を意外にも導き出した。この平均は、図７でライン１００として近似的に示される。明らかなように、この平均（図７のライン１００）は、前出の駆動方式に基づいて、全ての行に亘ってほぼ均一且つ平坦である。これは、結果として、可視的な水平バンド及び他の画像アーティファクトの有利な低減（又は、低減する傾向）をもたらす。特に、同じ極性の６の行のグループは連続して駆動され、従って、電力が節約され、一方で、６の行のグループの形での、又は６の行のグループのインターフェースでのアーティファクトは除去され、あるいは、少なくとも低減される傾向を有する。
【００６２】
特に注目すべきなのは、行１２及び１３の範囲で、平均輝度（図７のライン１００）が行１２と行１３との間の輝度誤差の大きな差にも関わらずどの程度均一なままであるかである。これは、特に、図５及び６を参照して先に述べられた選択工程により説明される態様に由来する。図５及び６で、所定の極性の行の所定のグループ（即ち、例において、負の極性の行、即ち、行１、３、５、７、９及び１１の第１のグループ）は、それの前の他の極性のグループ（即ち、例において、正の極性の行、即ち、行２、４、６、８、１０及び１２の第１のグループ）と比べて行番号の昇順又は降順のいずれか反対の順序で駆動されるが、それの後の他の極性のグループ（即ち、例において、正の極性の行、即ち、行１４、１６、１８、２０、２２及び２４の第２のグループ）と行番号の昇順又は降順のいずれか同じ順序で駆動される。言い換えると、これは、行番号の昇順又は降順のいずれか一方の意味での第１の順序（これは、また、「方向」と考えられても良い。）で第１の極性の行の（先行する）グループ内の行を選択し、その後、他の順序（方向）で他の極性の行の対応するグループ内の行を選択し、次に、夫々の反対の順序（方向）で、第１の極性の行の次のグループ内の行と、他の極性の行の対応する次のグループ内の行とを選択することに由来する。
【００６３】
留意すべきは、この方式は所定のフレームに関して詳細に述べられているが、その場合に極性は次のフレームで逆となることである。従って、前出のフレームでは偶数番目の行が正の極性を有する一方で、次のフレームでは奇数番目の行が正の極性を有する。
【００６４】
更に、前２段落で説明した基本的概念を保ちながら、様々な変形を前出のアドレス指定方式に対して行うことが可能である。例えば、最初に、上の例と同様に行２が選択されずに、行１が選択されても良い。この場合に、他の行は、先に説明された原理に従って選択されうる。また、例えば、先に説明された基本周期は、先で述べられたような周期の開始で同様に開始することなく用いられても良い。例えば、行番号の昇順で選択される行の第１のグループ内の行の代わりに、先に述べられたような昇順又は降順（方向）で選択される次のグループ内の行と共に、行の第１のグループ内の行は、行番号の降順で選択されても良い。この場合に、次のグループ内の行は、先に述べられた概念に従うよう必要に応じて昇順又は降順で選択されうる。更に、このような変形は、夫々のグループに割り当てられるよう意図された行に一様に分かれない多数の行に表示を適応させるよう導入されても良い。
【００６５】
他の可能性は、表示装置の全ての行よりむしろ、表示装置の行の幾つかにのみ適用されても良い。あるいは、表示装置は、行の２又はそれ以上の領域に分けられても良く、当該方式は、これらの領域の夫々に別々に適用される。
【００６６】
他の可能な変形は、以下の通りである。前出の実施例で、行は、同じ極性で駆動されるべき６の連続した行のグループで処理される。即ち、連続して選択される。しかし、他の実施例では、この数は異なっても良い。即ち、行は、必要に応じて、２以上の如何なる数のこのようなグループに割り当てられても良い。数字が大きくなればなるほど、極性を列毎に切り替えなければならない機会はますます減り、ひいては、ますます多くの電力が節約される。しかし、より大きな数が選択される場合、他の極性の行は選択されるのがより遅くなり、従って、本発明の利点に関わらず依然として残る如何なる移動画像アーティファクトもより特徴付けられるので、この電力節約には代償が伴う。また、駆動回路及び／又は欠測行データバッファは、より複雑になる。従って、行数は、考えられている特定の状況に従いこれらの代償を考慮して、当業者によって必要に応じて選択されうる。
【００６７】
前出の処理の他の実施例は、夫々の「グループ」における行の数が２（及び、他の例では、考えられるいずれかの特定のシステムの状況及び代償状態に従って望まれるよう２よりも大きな他の如何なる数）であるところの例を含む。本発明者は、更に、前出の処理に対して幾つかの類似点を有する他の駆動方式を考えた。この更なる方式は、要約すれば、正の極性の行の第２のグループ内の行が正の極性の第１のグループ内の行と、行番号の昇順又は降順の意味で、同じ順序（方向）で選択され、同様に、負の極性の行の第２のグループ内の行が負の極性の行の第１のグループ内の行と、行番号の昇順又は降順の意味で、同じ順序（方向で）選択されることを除いて、前出の例と同じであるよう（前出の例に関して）説明されうる。この相異は、同じ極性の第１及び第２のグループ間での順序（方向）における反転に起因して前出の方式で知られた驚くべき利点は存在しないことを意味する。しかし、本発明者は、３又はそれ以上の行を有する行のグループに関して、これらの更なる方式が、それでもなお、従来技術の駆動方式におけるアーティファクトのある程度の低減を提供する傾向を有することに気付いた。
【００６８】
このような更なる駆動方式の実施例について、以下、図８及び９を参照して説明する。更なる駆動方式に係るこの実施例は、行選択及び列アドレス制御要素が、以下で説明されるようにあるべき行選択及びデータ極性アドレス指定を制御するように構成される場合を除いて、図１〜６を参照して先に説明されたのと同じ装置で実施される。更に、本実施例は、先と同じく、夫々の極性の６の行のグループを用いるが、前の段落で説明されたように、６の行の代わりに、他の実施例は、行数が３又はそれ以上であるところの異なる数の行を用いても良い。
【００６９】
先に説明された実施例と同様に、以下で説明される実施例は、前出の行反転又は画素反転のいずれにも等しく適用されうる。明瞭さのために、実施例は、先と同じく、（例えば、図３及び４の）列１に関してのみ説明される。
【００７０】
図８は、更なる実施例に従う駆動方式を示す。図８は、１つのフレームに関して、（参照番号４２により示される）夫々の行番号へ適用されるように、前出の装置の単一の列に対する（参照番号４４によって示される）データ電圧の極性（“１”は正の極性を示し、“−１”は負の極性を示す。）を示す。明瞭さのために、最初の２４の行しか、即ち行１〜２４しか示されない。図８は、更に、時間矢印４６によって示されるように、行が選択された時間的順序を示す。従って、選択されるべき第１の行は、その極性が一番左端の列に示される行、即ち、正の極性により駆動される行２であり、次に、行４が選択されて、正の極性により駆動され、以降同様に続く。従って、図８に示される２４の行の選択順は、以下の通りである（＋ｖｅは正の極性を示し、−ｖｅは負の極性を示す。）：
行２（＋ｖｅ）、行４（＋ｖｅ）、行６（＋ｖｅ）、行８（＋ｖｅ）、行１０（＋ｖｅ）、行１２（＋ｖｅ）、行１１（−ｖｅ）、行９（−ｖｅ）、行７（−ｖｅ）、行５（−ｖｅ）、行３（−ｖｅ）、行１（−ｖｅ）、行１４（＋ｖｅ）、行１６（＋ｖｅ）、行１８（＋ｖｅ）、行２０（＋ｖｅ）、行２２（＋ｖｅ）、行２４（＋ｖｅ）、行２３（−ｖｅ）、行２１（−ｖｅ）、行１９（−ｖｅ）、行１７（−ｖｅ）、行１５（−ｖｅ）、行１３（−ｖｅ）。
【００７１】
行の選択順序は、正の極性により駆動されるべき最初の６行（即ち、行２、４、６、８、１０、１２）を有する第１のグループが行番号の昇順で（即ち、２、４、６、８、１０、１２の順序で）選択され、続いて、負の極性により駆動されるべき最初の６行（即ち、行１、３、５、７、９、１１）を有する第２のグループが行番号の降順で、即ち、逆順序で（即ち、１１、９、７、５、３、１の順序で）選択され、続いて、正の極性により駆動されるべき次の６行（即ち、行１４、１６、１８、２０、２２、２４）を有する第３のグループが行番号の昇順で（即ち、１４、１６、１８、２０、２２、２４の順序で）選択され、続いて、負の極性により駆動されるべき次の６行（即ち、行１３、１５、１７、１９、２１、２３）を有する第４のグループが行番号の降順で、即ち、逆順序で（即ち、２３、２１、１９、１７、１５、１３の順序で）選択されるように、６行を含む行のグループに基づく。当該装置の残りの行、即ち、行２５以降（図示せず。）は、以下の周期を繰り返すことにより選択される：
正の極性により駆動されるべき次の６行を有し、行番号の昇順で選択される夫々の次の正の極性のグループと、負の極性により駆動されるべき次の６行を有し、行番号の降順で、即ち、逆順序で選択される夫々の次の負の極性のグループとの間を交互にする。
【００７２】
図９は、行反転の場合に、図８に示される行順序及び極性を単一フレームに関して提供するよう、本実施例におけるディスプレイドライバ装置により実行される処理ステップを示すフローチャートである。
【００７３】
ステップｓ３２で、行２が選択され、正の極性のデータ電圧が夫々の列へ印加される。行２は、選択電圧を行２へ印加する行ドライバ回路２０により選択される。正の極性のデータ電圧の印加は、図５の処理を参照して先に説明されたように実施される。
【００７４】
ステップｓ３４で、次の行、即ち、印加された正の極性を有するべき６の行の第１のグループの中の次の連続した行であるところの行４が選択され、正の極性のデータ電圧が列の夫々へ印加される。
【００７５】
この工程は、ステップｓ３６で行１２が選択されて、正の極性のデータ電圧が列の夫々へ印加されるまで、印加された正の極性を有すべき６の行の第１のグループの中の残りの行に関して繰り返される（図９でステップｓ３４とｓ３６との間の破線によって示される。）。
【００７６】
本実施例で、「グループ」を形成する行の数は６である。従って、選択されるべき次の６行は、負の極性の行（即ち、行１、３、５、７、９及び１１）の第１のグループである。更に、先に述べられたように、このグループは、行番号の降順で、即ち、逆順序（即ち、１１、９、７、５、３、１）で選択される。
【００７７】
従って、ステップｓ３８で、行１１が選択され、負の極性のデータ電圧が夫々の列へ印加される。次に、ステップｓ４０で、行９が選択され、負の極性のデータ電圧が夫々の列へ印加される。この工程は、ステップｓ４２で行１が選択されて、負の極性のデータ電圧が列の夫々へ印加されるまで、印加された負の極性を有すべき６の行の第１のグループの中の残りの行に関して繰り返される（図９でステップｓ４０とｓ４２との間の破線によって示される。）。
【００７８】
選択されるべき次の６行は、正の極性の行（即ち、行１４、１６、１８、２０、２２及び２４）の次のグループ、即ち、第２のグループである。更に、先に述べられたように、本実施例では、このグループは、行の他の全ての正の極性のグループと同じように、先と同じく行番号の昇順（即ち、１４、１６、１８、２０、２２、２４）で選択される。
【００７９】
従って、ステップｓ４４で、行１４が選択され、正の極性のデータ電圧が夫々の列へ印加される。次に、ステップｓ４６で、行１６が選択され、正の極性のデータ電圧が夫々の列へ印加される。この工程は、ステップｓ４８で行２４が選択されて、正の極性のデータ電圧が列の夫々へ印加されるまで、印加された正の極性を有すべき６の行の第２のグループの中の残りの行に関して繰り返される（図９でステップｓ４６とｓ４８との間の破線によって示される。）。
【００８０】
選択されるべき次の６行は、負の極性の行（即ち、行１３、１５、１７、１９、２１及び２３）の次のグループ、即ち、第２のグループである。更に、先に述べられたように、このグループは、行の他の全ての負の極性のグループと同じように、行番号の降順、即ち逆順序（即ち、２３、２１、１９、１７、１５、１３）で選択される。
【００８１】
従って、ステップｓ５０で、行２３が選択され、負の極性のデータ電圧が夫々の列へ印加される。次に、ステップｓ５２で、行２１が選択され、負の極性のデータ電圧が夫々の列へ印加される。この工程は、ステップｓ５４で行１３が選択されて、負の極性のデータ電圧が列の夫々へ印加されるまで、印加された負の極性を有すべき６の行の第２のグループの中の残りの行に関して繰り返される（図９でステップｓ５２とｓ５４との間の破線によって示される。）。
【００８２】
先に述べられたように、残りの行が選択され、所定の極性の６の連続した行のグループに行を割り当てて、以下の周期に従ってそれらを選択（し、適切な極性のデータ電圧を列へ印加）することにより、行１〜２４に関して説明された周期の繰り返しで列へ印加された正又は負の極性を有する：
正の極性の行の次のグループは、行番号の昇順で選択され（最初にこれらはステップｓ５６として図９で示され、ステップｓ５６では、行２６が選択され、正の極性のデータ電圧が夫々の列へ印加される。）、次に、負の極性の行の次のグループが行番号の降順で選択され、次に、正の極性の行の次のグループが行番号の降順で選択され、次に、負の極性の行の次のグループが行番号の降順で選択され、以降、ステップｓ５８で、選択されるべき最後の行、即ち、（ｍ−１１）番目の行（本実施例では、表示装置が例えば６００行×８００列を有する場合に、行５８９）が選択されて、負の極性のデータ電圧が夫々の列へ印加される（ｍ番目の行、ここでは行６００が、正の極性の行の最後のグループの一部として予め選択されており、ｍ−９からｍ−１までの奇数番目の行、ここでは５９１から５９までの奇数行が予め選択されている。）まで続く。
【００８３】
これでこのフレームのアドレス指定を完了する。次のフレームのアドレス指定の間に、正及び負の極性は逆にされるが、行は前出の所定順序で選択される。
【００８４】
前出の工程では、行が選択されて、次に、電圧が列へ印加される。代替的に、この順序は逆にされても良い。どちらの順序が使用されるにしても、行が非選択状態にされた後まで列電圧が保持されることが通常である。
【００８５】
先と同じく留意すべきは、この方式は所定のフレームに関して詳細に述べられているが、その場合に極性は次のフレームで逆となることである。従って、前出のフレームでは偶数番目の行が正の極性を有する一方で、次のフレームでは奇数番目の行が正の極性を有する。
【００８６】
更に、行番号の昇順又は降順のいずれか一方の意味での第１の順序（方向）で第１の極性の行の（先行する）グループ内の行を選択し、次に、第１の極性のグループ及び第２の極性グループの夫々の後続の組に関してこの処理を続けるという基本的概念を保ちながら、様々な変形を前出のアドレス指定方式に対して行うことが可能である。例えば、図８及び９を参照して説明された処理では、偶数番目の行は、夫々のグループにおいて行番号の昇順で選択され、奇数番目の行は、夫々のグループにおいて行番号の降順で選択される。しかし、代替の実施例では、奇数番目の行は、夫々のグループで行番号の昇順で選択され、偶数番目の行は、夫々のグループで行番号の降順で選択される。
【００８７】
本発明は、また、異なる駆動方式へ適用されても良い。この駆動方式では、異なる極性は、交互に並ぶ行が異なる極性である配置以外の配置で、所定の列の異なる行へ印加される。このような場合に、所定の極性の行のグループは、前出の順序で選択される。
【００８８】
前出の実施例で、ディスプレイドライバ装置の構成要素及び動作は、アナログ列ドライバ回路２２を用いる例である。しかし、他の実施例では、デジタル列ドライバが用いられても良く、特に、デジタル列ドライバは、夫々の列に対するデジタルシフトレジスタ及びデジタル／アナログ（Ｄ／Ａ）変換器を有しても良い。このような場合に、ディスプレイドライバ装置は、必要に応じて構成されうる。
【００８９】
最後に、前出の実施例は、全て、特定の液晶表示装置に関して説明されてきたが、本発明の行選択が他の液晶表示装置、及び極性反転列駆動を必要とする、又はそれから潜在的に利益を享受する他の形式の表示装置でも適用可能であることは明らかである。例えば、前出の実施例では、液晶表示装置は透過型デバイスである。しかし、他の実施例では、液晶表示装置は反射型デバイス又は半透過型デバイスであっても良い。
【図面の簡単な説明】
【００９０】
【図１】本発明の実施例が実施されるところのアクティブマトリクス液晶表示装置の系統図である。
【図２ａ】図１の表示装置の画素へ印加される正の極性を有するデータ電圧を示す。
【図２ｂ】図１の表示装置の同じ画素へ印加される負の極性を有するデータ電圧を示す。
【図３】図１の表示装置へ適用される行反転方式を示す。
【図４】図１の表示装置へ適用される画素反転方式を示す。
【図５】駆動方式を示す。
【図６】図５の駆動方式を実施するディスプレイドライバ装置により実行される処理ステップを示すフローチャートである。
【図７】図５の駆動方式を用いて駆動される表示装置の位置上の行番号に関して、夫々の行の輝度誤差の予測モデリングから導出される予測である。
【図８】他の駆動方式を示す。
【図９】図８の駆動方式を実施するディスプレイドライバ装置により実行される処理ステップを示すフローチャートである。
【図１】
2008506148.tif 000003
【図２ａ】
2008506148.tif 000004
【図２ｂ】
2008506148.tif 000005
【図３】
2008506148.tif 000006
【図４】
2008506148.tif 000007
【図５】
2008506148.tif 000008
【図６】
2008506148.tif 000009
【図７】
2008506148.tif 000010
【図８】
2008506148.tif 000011
【図９】
2008506148.tif 000012
【国際調査報告】
2008506148.tif 000013
2008506148.tif 000014